(57)【要約】【課題】簡単な設定のみで、ユーザの意図したように画像形成を実行可能な画像形成装置を得ること。【解決手段】画像形成装置１では、解析部１２は、印刷用入力データの解像度設定値のみに応じてメディアタイプを選択する。メディアタイプとしては、普通紙、光沢紙などがある。印刷制御部１９は、解析部１２により選択されたメディアタイプに対応した印刷処理を入力データに基づき実行する。【選択図】  図１
2009053260.tif 000002
【特許請求の範囲】
【請求項１】
入力データの解像度設定値のみに応じてメディアタイプを選択する用紙選択手段と、
前記用紙選択手段により選択されたメディアタイプに対応した画像形成処理を前記入力データに基づき実行する画像形成手段と、
を備えることを特徴とする画像形成装置。
【請求項２】
複数の用紙収容手段と、
前記用紙収容手段とその用紙収容手段に収容される用紙のメディアタイプとの対応関係を記憶する記憶手段と、
前記用紙選択手段により選択されたメディアタイプの用紙が収容されている前記用紙収容手段を、前記記憶手段を参照して特定する用紙収容場所特定手段とを備え、
前記画像形成手段は、前記用紙収容場所特定手段により特定された前記用紙収容手段に収容されている用紙に対して画像形成処理を実行すること、
を特徴とする請求項１記載の画像形成装置。
【請求項３】
手差しにより用紙を配置される手差し収容手段を備え、
前記画像形成手段は、前記用紙選択手段により選択されたメディアタイプの用紙が収容されている前記用紙収容手段が存在する場合には、その前記用紙収容手段に収容されている用紙に対して画像形成処理を実行し、前記用紙選択手段により選択されたメディアタイプの用紙が収容されている前記用紙収容手段が存在しない場合には、前記手差し収容手段に収容される用紙に対して画像形成処理を実行すること、
を特徴とする請求項２記載の画像形成装置。
【請求項４】
入力データの解像度設定値のみに応じてメディアタイプを選択する解像度対応メディアタイプモードのオンオフ設定を検出する設定検出手段を備え、
前記用紙選択手段は、前記解像度対応メディアタイプモードのオン設定が検出された場合にのみ、前記入力データの解像度設定値のみに応じてメディアタイプを選択すること、
を特徴とする請求項１記載の画像形成装置。
【請求項５】
前記メディアタイプは、普通紙および光沢紙を少なくとも含み、
前記用紙選択手段は、前記解像度設定が所定の低解像度とされている場合には普通紙を選択し前記解像度設定が所定の高解像度とされている場合には光沢紙を選択し、
前記画像形成手段は、普通紙が選択された場合には普通紙用の画像形成処理を実行し光沢紙が選択された場合には光沢紙用の画像形成処理を実行すること、
を特徴とする請求項１から請求項４のうちのいずれか１項記載の画像形成装置。
【発明の詳細な説明】
【技術分野】
【０００１】
本発明は、画像形成装置に関するものである。
【背景技術】
【０００２】
書類、画像などの種々の対象を印刷する場合、ユーザは、その対象に応じた印刷用紙を用意し、印刷時に、メディアサイズ、メディアタイプ、解像度などといった複数の項目について値を設定し、印刷を行わせている。その場合、プリンタは、メディアタイプ、解像度などといった複数の品質項目の設定値に応じた画像処理を、入力データに施し、印刷用紙に対して印刷処理を実行する。
【０００３】
他方、複数の給紙トレーを有し、解像度設定に応じて給紙トレーを選択し、選択した給紙トレーに収容されている印刷用紙に対して印刷処理を実行する印刷装置が提案されている（例えば、特許文献１参照）。特に、特許文献１に開示されている技術では、低解像度の設定の場合、第１給紙トレーが固定的に選択され、高解像度の設定の場合、第２給紙トレーが固定的に選択される。
【特許文献１】特開平７−１９５７７５号公報
【発明の開示】
【発明が解決しようとする課題】
【０００４】
ユーザが複数の項目を設定した上で印刷処理が実行される場合、ユーザが意図した印刷仕上がりとなるようにするためには、上記の複数の作業を正確に行う必要があり、煩雑な作業が要求される。
【０００５】
また、上述の解像度設定に応じて給紙トレーを選択する技術の場合、メディアタイプに関係なく、選択された給紙トレーに収容されている用紙へ同様の印刷が行われる。各給紙トレーには、任意のメディアタイプの用紙が収容される可能性があるため、ユーザが意図した品質の印刷仕上がりにならないことがある。例えば、複数人で印刷装置を使用する場合には、ある人は、低解像度用の給紙トレーに、再生紙を収容するかもしれないが、別の人は、低解像度用の給紙トレーに、普通紙を収容するかもしれない。また別の人は、低解像度用の給紙トレーに、片面が印刷済みの不要な印刷用紙（いわゆる裏紙）を収容するかもしれない。高解像度用の給紙トレーにも同様のことが言え、人によって異なるメディアタイプが収容される可能性がある。また、１人で印刷装置を使用する場合でも、各給紙トレーに印刷用紙を設定した後に長時間が経過すると、各給紙トレーに、どのメディアタイプの用紙を収容したかを失念する可能性がある。失念した場合には、そのユーザがそのときに意図したように印刷が行われない可能性がある。このように、どのメディアタイプかに関係なく印刷処理が実行されるため、ユーザが意図した印刷仕上がりにならない可能性がある。
【０００６】
本発明は、上記の問題に鑑みてなされたものであり、簡単な設定のみで、ユーザの意図した品質で画像形成を実行可能な画像形成装置を得ることを目的とする。
【課題を解決するための手段】
【０００７】
上記の課題を解決するために、本発明では以下のようにした。
【０００８】
本発明に係る画像形成装置は、入力データの解像度設定値のみに応じてメディアタイプを選択する用紙選択手段と、用紙選択手段により選択されたメディアタイプに対応した画像形成処理を入力データに基づき実行する画像形成手段とを備える。
【０００９】
これにより、解像度設定という簡単な設定のみで、自動的にその解像度に合ったメディアタイプが選択されユーザの意図した画像形成結果を得ることができる。つまり、ユーザは、解像度を設定するだけであるが、解像度が低ければ画像形成結果が綺麗ではないということを予測し、解像度が高ければ綺麗な画像形成結果を期待する。このため、低解像度が設定された場合、グレードの低いメディアタイプが使用され品質が比較的低くてもユーザの期待を裏切ることはなく、他方、高解像度が設定された場合にはグレードの高いメディアタイプが使用されるのでユーザが不満に思うことはない。
【００１０】
また、本発明に係る画像形成装置は、上記の画像形成装置に加え、次のようにしてもよい。この場合、画像形成装置は、さらに、複数の用紙収容手段と、用紙収容手段とその用紙収容手段に収容される用紙のメディアタイプとの対応関係を記憶する記憶手段と、用紙選択手段により選択されたメディアタイプの用紙が収容されている用紙収容手段を、記憶手段を参照して特定する用紙収容場所特定手段とを備える。そして、画像形成手段は、用紙収容場所特定手段により特定された用紙収容手段に収容されている用紙に対して画像形成処理を実行する。
【００１１】
これにより、どの用紙収容手段にどのメディアタイプの用紙がセットされても、自動的にその解像度に合ったメディアタイプの用紙に対して確実に画像形成処理が行われる。したがって、特定の用紙収容手段に特定のメディアタイプの用紙を収容しておかなければならないということがなくなり、ユーザの作業が簡素化されるとともに、ユーザの意図せぬ画像形成結果にならずに済む。
【００１２】
また、本発明に係る画像形成装置は、上記の画像形成装置のいずれかに加え、次のようにしてもよい。この場合、画像形成装置は、さらに、手差しにより用紙を配置される手差し収容手段を備える。そして、画像形成手段は、用紙選択手段により選択されたメディアタイプの用紙が収容されている用紙収容手段が存在する場合には、その用紙収容手段に収容されている用紙に対して画像形成処理を実行し、用紙選択手段により選択されたメディアタイプの用紙が収容されている用紙収容手段が存在しない場合には、手差し収容手段に収容される用紙に対して画像形成処理を実行する。
【００１３】
例えば、厚手の写真用紙を使用する写真印刷の場合、厚手の印刷用紙だと通常の給紙カセットや給紙トレーが使用できないことがある。しかし、これによれば、そのような写真印刷の場合、超高解像度設定とするので、手差し収容手段を使用して印刷が可能となる。
【００１４】
また、本発明に係る画像形成装置は、上記の画像形成装置のいずれかに加え、次のようにしてもよい。この場合、画像形成装置は、さらに、入力データの解像度設定値のみに応じてメディアタイプを選択する解像度対応メディアタイプモードのオンオフ設定を検出する設定検出手段を備える。そして、用紙選択手段は、解像度対応メディアタイプモードのオン設定が検出された場合にのみ、入力データの解像度設定値のみに応じてメディアタイプを選択する。
【００１５】
これにより、ユーザが詳細に設定したい場合には、解像度対応メディアタイプモードをオフ設定として、複数の項目につき設定を行うことができ、その複数の項目の設定を反映した画像形成結果が得られる。
【００１６】
また、本発明に係る画像形成装置は、上記の画像形成装置のいずれかに加え、次のようにしてもよい。この場合、メディアタイプは、普通紙および光沢紙を少なくとも含む。用紙選択手段は、解像度設定が所定の低解像度とされている場合には普通紙を選択し解像度設定が所定の高解像度とされている場合には光沢紙を選択する。そして、画像形成手段は、普通紙が選択された場合には普通紙用の画像形成処理を実行し光沢紙が選択された場合には光沢紙用の画像形成処理を実行する。
【００１７】
これにより、低解像度で十分な対象は普通紙に印刷され、高解像度が要求される対象は光沢紙に印刷される。したがって、ユーザは、自己の行った解像度の設定から期待される印刷結果を得ることができる。
【発明の効果】
【００１８】
本発明によれば、簡単な設定のみで、ユーザの意図した品質で画像形成を実行可能な画像形成装置を得ることができる。
【発明を実施するための最良の形態】
【００１９】
以下、図に基づいて本発明の実施の形態を説明する。
【００２０】
図１は、本発明の実施の形態に係る画像形成装置の構成を示すブロック図である。図１において、画像形成装置１は、プリンタ、複合機などといった装置である。
【００２１】
データ受信インタフェース１１は、コンピュータネットワーク、周辺機器インタフェースなどを介してパーソナルコンピュータなどの装置から印刷用の入力データを受信したり、図示せぬ記録媒体からその記録媒体に格納された印刷用の入力データを取得する装置である。周辺機器インタフェースとしては、ＵＳＢ（Universal Serial Bus）などがある。また、図示せぬ記録媒体としては、装置１に内蔵されるハードディスクドライブ、可搬性のある光ディスクまたはメモリカードなどがある。
【００２２】
また、解析部１２は、入力データを解析し、データ受信インタフェース１１により受信または取得された入力データの解像度設定値のみに応じてメディアタイプを選択する処理部である。また、解析部１２は、その入力データから解像度対応メディアタイプモードのオンオフ設定を検出し、解像度対応メディアタイプモードがオン設定である場合のみ、入力データの解像度設定値のみに応じてメディアタイプを選択する。この解析部１２は、用紙選択手段および設定検出手段として機能する。
【００２３】
また、記憶部１３は、入力データの解像度設定値とメディアタイプとの対応関係をメディアタイプテーブル１３ａとして記憶する記録媒体である。記憶部１３には、複数の解像度設定値と、複数の解像度設定値のそれぞれに対応するメディアタイプが記憶される。記憶部１３としては、不揮発性メモリ、ハードディスクドライブなどの磁気記録媒体などが使用される。図２は、図１におけるメディアタイプテーブル１３ａの一例を示す図である。図２に示すテーブル１３ａでは、３００ｄｐｉから２４００ｄｐｉまでの４つの解像度設定値に対して、再生紙、普通紙、光沢紙、および写真用紙が割り当てられている。
【００２４】
また、記憶部１４は、図示せぬ給紙カセットとその給紙カセットに収容される用紙のメディアタイプとの対応関係を給紙カセットテーブル１４ａとして記憶する記録媒体である。記憶部１４としては、揮発性メモリ、不揮発性メモリ、ハードディスクドライブといった磁気記録媒体などが使用される。この記憶部１４は、記憶手段として機能する。
【００２５】
図３は、図１における給紙カセットテーブル１４ａの例を示す図である。この例の場合、装置１には第１給紙カセット、第２給紙カセット、第３給紙カセットおよび手差しトレーが存在する。このうち、第１給紙カセットは大容量カセットとされている。第１給紙カセット、第２給紙カセットおよび第３給紙カセットは、複数の用紙収容手段として機能し、手差しトレーは、手差し収容手段として機能する。そして、図３（Ａ）に示す給紙カセットテーブル１４ａに示す状態では、第１給紙カセットに普通紙が収容され、第２給紙カセットには光沢紙が収容され、第３給紙カセットには再生紙が収容されている。図３（Ｂ）に示す給紙カセットテーブル１４ａに示す状態では、第１給紙カセットに再生紙が収容され、第２給紙カセットにはいずれの用紙も収容されておらず、第３給紙カセットには普通紙が収容されている。給紙カセットとメディアタイプとの対応関係は、用紙収容時にユーザによる操作部１５への操作に基づいて本体設定部１６により特定され記憶部１４に書き込まれる。
【００２６】
なお、記憶部１３と記憶部１４は、同一の記憶部としてもよい。つまり、メディアタイプテーブル１３ａと給紙カセットテーブル１４ａは同一の記憶部に保存されていてもよい。
【００２７】
また、操作部１５は、用紙を収容した給紙カセットとその用紙のメディアタイプとを指定するための操作部であって、ユーザ操作に対応する電気信号を出力する処理部である。操作部１５は、液晶ディスプレイとタッチパネル、操作キーなどで適宜構成される。
【００２８】
また、本体設定部１６は、装置１内の各部の設定を行うとともに、各部からの要求に応じて設定状態を通知する処理部である。また、制御部１７は、装置１内の処理の流れ、および各部を制御する処理部である。
【００２９】
また、出力設定部１８は、装置１の設定状態、入力データによる印刷パラメータ設定値などに基づき印刷処理に必要な条件、パラメータの値などを決定する処理部である。出力設定部１８は、解析部１２により選択されたメディアタイプの用紙が収容されている給紙カセットを、記憶部１４の給紙カセットテーブル１４ａを参照して特定する用紙収容場所特定手段として機能する。
【００３０】
また、印刷制御部１９は、出力設定部１８により選択されたメディアタイプに対応した印刷処理を入力データに基づき実行する処理部である。印刷制御部１９は、画像形成手段として機能する。印刷処理としては、メディアタイプなどに対応した印刷画像の生成（つまりデータ処理）、およびメディアタイプなどに対応した印刷機構（図示せぬ）の制御が行われる。
【００３１】
なお、解析部１２、本体設定１６、制御部１７、出力設定部１８および印刷制御部１９は、装置１に内蔵された図示せぬ不揮発性メモリまたは記憶部１３に格納されたプログラムをＣＰＵ等のプロセッサにより実行することで実現される。
【００３２】
次に、上記装置１の動作について説明する。図４は、本発明の実施の形態に係る画像形成装置の動作を説明するフローチャートである。
【００３３】
例えばこの装置１に接続されたパーソナルコンピュータのデバイスドライバまたはユーティリティプログラムにより印刷解像度がユーザの操作に応じて設定される（ステップＳ１）。その後、印刷実行のユーザ操作があると、そのパーソナルコンピュータから、印刷パラメータ設定値および印刷対象データを含む印刷用入力データが装置１へ供給される（ステップＳ２）。
【００３４】
画像形成装置１では、データ受信インタフェース１１が、その印刷用入力データを受信する（ステップＳ１１）。その入力データは、図示せぬメモリに一時的に格納される。そして、解析部１２は、その入力データを読み出し、印刷パラメータ設定値を抽出する（ステップＳ１２）。
【００３５】
解析部１２は、その印刷パラメータ設定値のうちの解像度対応メディアタイプフラグがオンか否かを判定する（ステップＳ１３）。解像度対応メディアタイプフラグがオンである場合、解析部１２は、入力データにおいて解像度設定がされているか否かを判定する（ステップＳ１４）。解像度設定がされている場合、解析部１２は、解像度設定値を特定し、その解像度設定値に対応するメディアタイプの情報を本体設定部１６から取得する（ステップＳ１５）。その際、解析部１２が解像度設定値を本体設定部１６へ供給すると、本体設定部１６は、メディアタイプテーブル１３ａを参照してその解像度設定値に対応するメディアタイプを特定しそのメディアタイプの情報を解析部１２へ供給する。
【００３６】
このように、解像度設定値のみからメディアタイプが特定されると、その解析部１２は、そのメディアタイプを含めた印刷パラメータ設定値を制御部１７に供給する。そして、制御部１７は、その印刷パラメータ設定値を出力設定部１８に供給し、印刷処理を実行させる。出力設定部１８は、印刷パラメータ値から印刷条件を決定する（ステップＳ１６）。その際、出力設定部１８は、選択されたメディアタイプの用紙がいずれかの給紙カセットに収容済みであるか、および選択されたメディアタイプが格納されている給紙カセットの識別情報（カセット番号）を本体設定部１６から取得する。
【００３７】
そして、出力設定部１８は、選択されたメディアタイプの用紙がいずれかの給紙カセットに収容済みであるか否かを判定する（ステップＳ１７）。選択されたメディアタイプの用紙がいずれかの給紙カセットに収容済みである場合、出力設定部１８は、その収容されている給紙カセットを指定してその給紙カセットに収容されている用紙に対する印刷処理を印刷制御部１９に実行させる（ステップＳ１８）。その際、印刷制御部１９は、指定されたメディアタイプに対応して、指定された給紙カセットから用紙を引き出しその用紙に対して入力データに基づく印刷対象を印刷する。一方、選択されたメディアタイプの用紙がいずれの給紙カセットにも収容済みではない場合、出力設定部１８は、手差しトレーを指定して手差しトレーに配置される用紙に対する印刷処理を印刷制御部１９に実行させる（ステップＳ１９）。その際、印刷制御部１９は、指定されたメディアタイプに対応して、手差しトレー用紙を引き出しその用紙に対して入力データに基づく印刷対象を印刷する。
【００３８】
例えば、メディアタイプテーブル１３ａが図２のものであり、給紙カセットテーブル１４ａが図３（Ａ）のものである場合において、入力データの解像度設定値が６００ｄｐｉであるとき、メディアタイプとして普通紙が選択され、次に、それに対応する印刷処理が指定され、普通紙が収容されている第１給紙カセットが選択される。これにより、解像度設定値が６００ｄｐｉに設定された入力データに基づく印刷対象が、普通紙用の印刷処理で、普通紙に印刷される。一方、同一の場合で、入力データの解像度設定値が１２００ｄｐｉであるときには、メディアタイプとして光沢紙が選択され、次に、それに対応する印刷処理が指定され、光沢紙が収容されている第２給紙カセットが選択される。これにより、解像度設定値が１２００ｄｐｉに設定された入力データに基づく印刷対象が、光沢紙用の印刷処理で、光沢紙に印刷される。
【００３９】
また、例えば、メディアタイプテーブル１３ａが図２のものであり、給紙カセットテーブル１４ａが図３（Ｂ）のものである場合において、入力データの解像度設定値が６００ｄｐｉであるとき、メディアタイプとして普通紙が選択され、次に、それに対応する印刷処理が指定され、普通紙が収容されている第３給紙カセットが選択される。これにより、解像度設定値が６００ｄｐｉに設定された入力データに基づく印刷対象が、普通紙用の印刷処理で、普通紙に印刷される。一方、同一の場合で、入力データの解像度設定値が１２００ｄｐｉであるときには、メディアタイプとして光沢紙が選択され、次に、それに対応する印刷処理が指定され、手差しトレーが選択される。そして、手差しトレーに配置された光沢紙に対して印刷が行われる。これにより、解像度設定値が１２００ｄｐｉに設定された入力データに基づく印刷対象が、光沢紙用の印刷処理で、光沢紙に印刷される。
【００４０】
このようにして、解像度設定値のみでメディアタイプが選択され、そのメディアタイプに合わせたデータ処理が行われた後に、いずれかの給紙カセットまたは手差しトレーに収容されたそのメディアタイプの用紙に対して印刷が実行される。
【００４１】
なお、ステップＳ１３において解像度対応メディアタイプフラグがオフである場合、およびステップＳ１４において解像度設定がされていない場合には、通常の印刷モードでの印刷が実行される。その際、解析部１２は、印刷パラメータ設定値をそのまま制御部１７に供給し、制御部１７は、その印刷パラメータ設定値で印刷を実行させる。出力設定部１８は、印刷パラメータ値から印刷条件を決定する（ステップＳ２０）。その際、出力設定部１８は、印刷パラメータ値で指定されていないパラメータについてはデフォルトの設定値を本体設定部１６から読み出して印刷条件を決定する。出力設定部１８は、その印刷条件で印刷処理を印刷制御部１９に実行させる（ステップＳ２１）。
【００４２】
以上のように、上記実施の形態によれば、解析部１２は、入力データの解像度設定値のみに応じてメディアタイプを選択する。印刷制御部１９は、解析部１２により選択されたメディアタイプに対応した印刷処理を入力データに基づき実行する。
【００４３】
これにより、解像度設定という１つの設定のみで、自動的にその解像度に合ったメディアタイプが選択されユーザの意図した印刷結果を得ることができる。つまり、ユーザは、品質について解像度を設定するだけであるが、解像度が低ければ印刷結果が綺麗ではないということを予測し、解像度が高ければ綺麗な印刷結果を期待する。このため、低解像度が設定された場合、グレードの低いメディアタイプが使用され品質が比較的低くてもユーザの期待を裏切ることはなく、他方、高解像度が設定された場合にはグレードの高いメディアタイプが使用されるのでユーザが不満に思うことはない。なお、メディアサイズは別途設定される。
【００４４】
また、上記実施の形態によれば、記憶部１４は、給紙カセットとその給紙カセットに収容される用紙のメディアタイプとの対応関係を記憶する。また、出力設定部１８は、解析部１２により選択されたメディアタイプの用紙が収容されている給紙カセットを、記憶部１４を参照して特定する。そして、印刷制御部１９は、出力設定部１８により特定された給紙カセットに収容されている用紙に対して印刷処理を実行する。
【００４５】
これにより、どの用紙収容手段にどのメディアタイプの用紙がセットされても、自動的にその解像度に合ったメディアタイプの用紙に対して確実に印刷処理が行われる。したがって、特定の用紙収容手段に特定のメディアタイプの用紙を収容しておかなければならないということがなくなり、ユーザの作業が簡素化されるとともに、ユーザの意図せぬ印刷結果にならずに済む。
【００４６】
また、上記実施の形態によれば、印刷制御部１９は、解析部１２により選択されたメディアタイプの用紙が収容されている給紙カセットが存在しない場合には、手差しトレーに収容される用紙に対して印刷処理を実行する。
【００４７】
例えば、厚手の写真用紙を使用する写真印刷の場合、厚手の印刷用紙だと通常の給紙カセットや給紙トレーが使用できないことがある。しかし、これによれば、そのような写真印刷の場合、超高解像度設定とするので、手差し収容手段を使用して印刷が可能となる。
【００４８】
また、上記実施の形態によれば、解析部１２は、入力データの解像度設定値のみに応じてメディアタイプを選択する解像度対応メディアタイプモードのオンオフ設定を検出し、解像度対応メディアタイプモードのオン設定が検出された場合にのみ、入力データの解像度設定値のみに応じてメディアタイプを選択する。
【００４９】
これにより、ユーザが詳細に設定したい場合には、解像度対応メディアタイプモードをオフ設定として、複数の項目につき設定を行うことができ、その複数の項目の設定を反映した印刷結果が得られる。
【００５０】
また、上記実施の形態によれば、メディアタイプは、再生紙、普通紙、光沢紙および写真用紙が指定可能とされる。そして、解析部１２は、解像度設定が所定の低解像度（ここでは６００ｄｐｉ）とされている場合には普通紙を選択し解像度設定が所定の高解像度（ここでは１２００ｄｐｉ）とされている場合には光沢紙を選択する。印刷制御部１９は、普通紙が選択された場合には普通紙用の印刷処理を実行し光沢紙が選択された場合には光沢紙用の印刷処理を実行する。
【００５１】
これにより、低解像度（ここでは６００ｄｐｉ）で十分な対象は普通紙に印刷され、高解像度（ここでは１２００ｄｐｉ）が要求される対象は光沢紙に印刷される。したがって、ユーザは、自己の行った解像度の設定から期待される印刷結果を得ることができる。
【００５２】
なお、上述の実施の形態は、本発明の好適な例であるが、本発明は、これらに限定されるものではなく、本発明の要旨を逸脱しない範囲において、種々の変形、変更が可能である。
【００５３】
例えば、上記実施の形態において、設定された解像度に対応するメディアタイプがメディアタイプテーブル１３ａにおいて設定されていない場合には、メディアタイプテーブル１３ａにおいて設定されているすべてのメディアタイプを表示し、その中のいずれかを選択するユーザの入力操作に応じて、メディアタイプを選択するようにしてもよい。
【００５４】
また、上記実施の形態において、メディアタイプテーブル１３ａは、解像度設定値の１つの値に対して１つのメディアタイプが設定されているが、複数の解像度設定値を含む解像度設定値の１つの範囲に対して１つのメディアタイプが設定されるようにしてもよい。例えば、１００ｄｐｉ〜４００ｄｐｉの解像度範囲に対して再生紙を割り当ててもよい。
【００５５】
また、上記実施の形態においては、図２に示すように、メディアタイプを、再生紙、普通紙、光沢紙および写真用紙の４種としているが、２種、３種および５種以上のいずれかとしてもよいし、指定するメディアタイプも、他のメディアタイプを含めてもよい。また、テーブル１３ａにおける解像度設定値とメディアタイプとの対応関係をユーザにより設定可能としてもよい。
【産業上の利用可能性】
【００５６】
本発明は、例えば、プリンタに適用可能である。
【図面の簡単な説明】
【００５７】
【図１】本発明の実施の形態に係る画像形成装置の構成を示すブロック図である。
【図２】図１におけるメディアタイプテーブルの一例を示す図である。
【図３】図１における給紙カセットテーブルの例を示す図である。
【図４】本発明の実施の形態に係る画像形成装置の動作を説明するフローチャートである。
【符号の説明】
【００５８】
１  画像形成装置
１２  解析部（用紙選択手段，設定検出手段）
１４  記憶部（記憶手段）
１８  出力設定部（用紙収容場所特定手段）
１９  印刷制御部（画像形成手段）
【図１】
2009053260.tif 000003
【図２】
2009053260.tif 000004
【図３】
2009053260.tif 000005
【図４】
2009053260.tif 000006